(57)【特許請求の範囲】
【請求項１】
弾性板と金属板とを交互に積層した積層体でなる免震装置において、
該免震装置の水平状態における前記積層体の上下両端面のプレートに固定して設けられる、前記上側のプレートに固定される上部平板と、前記下側のプレートに固定され水平方向の位置を調整する位置調整用部材及び基礎用のコンクリートを打設するための貫通孔を有する下部平板とがあり、
前記積層体の周囲で前記上部平板と下部平板との間に固定し仮設されるもので前記免震装置の本体の水平移動を拘束する着脱自在な複数の仮設水平拘束材とを有して構成されること、
を特徴とする仮設水平拘束材付免震装置。
【請求項２】
免震装置上に柱を建方する際に、免震装置の本体に固定した上部平板と下部平板との間において当該免震装置の本体の水平方向の移動を拘束する着脱自在な仮設水平拘束材が設けられた請求項１に記載の免震装置を基礎上に構築し、その後に、前記免震装置の上に柱を建方すること、
を特徴とする免震装置上での柱の構築方法。
【発明の詳細な説明】
【０００１】
【発明の属する技術分野】
本発明は、建築構造物の免震装置を設ける際に、当該免震装置と建築構造物の柱、特に鉄骨柱との建方に係る構築方法と、その方法に使用する水平移動が拘束された免震装置に関する。
【０００２】
【従来の技術】
従来、免震装置を有する例えば、鉄骨造の建築構造物を構築する際には、基礎上に免震装置をクレーンなどで運搬してセットした後に、支保工を組み型枠を組み立てて、該型枠の一部を張り出させて前記免震装置に当接させ、当該免震装置が水平方向に移動しないように固定し、そして、梁付鉄骨柱をクレーン等で免震装置上に搬入し、１階床梁の躯体が出来てから前記型枠を解体して、免震装置の水平移動を自由にしていた。
【０００３】
【発明が解決しようとする課題】
しかしながら、免震装置の水平移動を型枠等で拘束するには、その組立及び撤去に手間が掛かり、多数の免震装置に施工するので工期の長期化となる不都合がある。
【０００４】
そこで、鉄骨柱を建方する場合に、該鉄骨柱が比較的軽量であるので直接免震装置の上に建方することが出来れば、工期短縮となって便宜であるが、この鉄骨柱の建方が終了するまでの間、免震装置が水平方向に移動してしまうと、建方の基準位置が動くとこになり不都合となる。かかる場合に、コストと工期の面から簡易な方法で免震装置の水平移動を拘束することが従来の課題である。
【０００５】
【課題を解決するための手段】
本発明に係る免震装置上での柱の構築方法の上記課題を解決するための要旨は、免震装置上に柱を建方する際に、免震装置の本体に固定した上部平板と下部平板との間において当該免震装置の本体の水平方向の移動を拘束する着脱自在な仮設水平拘束材が設けられた請求項１に記載の免震装置を基礎上に構築し、その後に、前記免震装置の上に柱を建方することである。
【０００６】
本発明に係る仮設水平拘束材付免震装置の要旨は、弾性板と金属板とを交互に積層した積層体でなる免震装置において、該免震装置の水平状態における前記積層体の上下両端面のプレートに固定して設けられる、前記上側のプレートに固定される上部平板と、前記下側のプレートに固定され水平方向の位置を調整する位置調整用部材及び基礎用のコンクリートを打設するための貫通孔を有する下部平板とがあり、前記積層体の周囲で前記上部平板と下部平板との間に固定し仮設されるもので前記免震装置の本体の水平移動を拘束する着脱自在な複数の仮設水平拘束材とを有して構成されることである。
【０００７】
本発明に係る免震装置上での柱の構築方法と仮設水平拘束材付免震装置とによれば、免震装置の水平方向の移動が拘束されて位置ズレのおそれがなくなり、該免震装置上に直接鉄骨柱などの柱を建方することができる。そして、一階床梁の躯体が完了した後に、仮設水平拘束材をボルトの取り外しにより容易に撤去することができる。
なお、柱の建方作業中に地震があった場合でも、仮設水平拘束材によって免震装置の水平移動が抑制され、震度３〜４程度では特に問題は生じないものである。
【０００８】
【発明の実施の形態】
次に、本発明について図面を参照して説明する。図１乃至図２に示すように、仮設水平拘束材付免震装置１は、ゴム等の材質の弾性板と鋼製板等の金属板とを交互に積層した積層体２と、その上下に設けられるプレート３，４と、該プレート３，４の上，下に設けられる一回り大きな形状の上部平板と下部平板とであるベースプレート５，６と、前記積層体２の周囲に複数個（例えば、４個）設けられる山形で所要幅の鋼製板でなる仮設水平拘束材７とから、構成されている。
【０００９】
前記仮設水平拘束材付免震装置１における積層体２及びプレート３，４は、既に公知の免震装置のものと同様であるので、説明を省略する。そして、前記ベースプレート６は、図３乃至図４に示すように、鋼製で円形の平板体であり、重量は約５００ｋｇ程度である。
【００１０】
更に、位置調整用部材９等や、免震装置のプレート４との固定のためのボルト孔及び袋ナット１０が所要数設けられ、仮設水平拘束材７との連結固定を図るボルト孔及び袋ナット１１が所要数設けられている。
【００１１】
前記ベースプレート５は、図１乃至図２に示すように、免震装置の上部に載置されるもので、位置調整用部材９がないことを除いて、前記ベースプレート６とほぼ同様の構成である。
【００１２】
前記仮設水平拘束材７は、図５に示すように、所要幅の鋼製板等の金属板を山形に屈曲させ、各平端面にボルト孔７ａを設けてなるものである。また、図５（ハ）に示すように、免震装置のプレート３又は４の周囲を囲むようにして（図２参照）、平面視において略ハ字になっている。
【００１３】
上記の構成である仮設水平拘束材付免震装置１の上での柱を建方する構築手順は、図６に示すように、免震装置用フレームや頭部補強筋をセットした柱下位置の基礎８に、ベースプレート６をクレーン等の搬入手段で搬入し、位置調整用部材９で当該ベースプレート６の水平位置等を調節し、これを前記基礎８上に配筋された補強筋等の鉄筋等に固定せしめる。
【００１４】
そして、基礎８に型枠を設置した後にコンクリートを打設して打ち継ぎし、ベースプレート６と基礎８とを一体に形成する。なお、前記コンクリートの打設の際には、コンクリートの充填を密にするため、ベースペレート６の貫通孔６ａ（図３参照）からこれに接続される打設導入孔を有するホッパーでコンクリートを打ち込み、更に、前記貫通孔６ａから突き棒を突いて、前記コンクリートの密な充填を図って施工するものである。
【００１５】
次に、前記ベースプレート６の上に、積層体２とプレート３，４とでなる免震装置本体１ａをクレーンで搬入し、位置決めマーク等を合わせて高精度に設置する。
【００１６】
そして、ボルト１２でプレート４の各ボルト用貫通孔に挿通させベースプレート６の各袋ナット１０に各々（例えば、１２箇所）所定のトルクで締結して、免震装置本体１ａを固定する。
【００１７】
その後、上部のベースプレート５をクレーン等で前記プレート３の上に搬入し、載置する。そして、当該ベースプレート５とプレート３とをボルト・ナットで所定のトルクにて締結する。
【００１８】
次に、仮設水平拘束材７を、免震装置本体１ａの積層体２の周囲に、かつ、接触による傷つきがないようにプレート３，４の側端面の外側で、ベースプレート５，６の間に架設するようにし、４箇所に配設し、そして、ボルトを仮設水平拘束材７の上下部にあるボルト孔７ａに各々挿通させ各袋ナット１１に締結して、着脱自在に取り付ける。こうして、仮設水平拘束材付免震装置１が形成される。
【００１９】
この仮設水平拘束材７によって、ベースプレート５，６が固定され、水平方向の移動が拘束されることで、免震装置本体１ａの水平移動が防止される。
【００２０】
その後、図７に示すように、梁付鉄骨柱１３をクレーンで搬入し、鉄骨鉄筋コンクリート柱用の配筋をしたり養生したりして、仮設水平拘束材付免震装置１の上において、下部型枠支保工を利用し仮受しながら柱の建方を施工する。
【００２１】
鉄骨柱１３の建方中は、前記仮設水平拘束材７によって免震装置本体１ａの水平方向の移動が防止されているので、基準位置がずれるおそれもない。
【００２２】
そして、鉄骨鉄筋コンクリート柱の建方及び配筋が完了してコンクリートを打設して１階のＳＲＣ造の床梁ができた後、コンクリート強度が発現した段階で、前記仮設水平拘束材７を仮固定しているボルトを緩めて取り外し、更に、４個の仮設水平拘束材７をそれぞれ取り外す。この後は、免震装置本体１ａが免震としての作用を発揮する。最終的にはベースプレート５，６間に防火用の耐火帯を装備する。
【００２３】
このように、主にＳ造またはＳＲＣ造における１階（最下階のこと）の鉄骨柱、その他木製柱，ＰＣ柱などの柱の建方が終了するまでの間、免震装置の積層体２が仮設水平拘束材７によって水平方向に移動しないようにすることで、前記柱を直接に免震装置の上に載置して建方することが可能となったものである。
【００２４】
【発明の効果】
以上説明したように、本発明に係る免震装置上での柱の構築方法は、免震装置上に柱を建方する際に、免震装置の本体に固定した上部平板と下部平板との間において当該免震装置の本体の水平方向の移動を拘束する着脱自在な仮設水平拘束材が設けられた請求項１に記載の免震装置を基礎上に構築し、その後に、前記免震装置の上に柱を建方することなので、従来方法に比較して手間が掛からずコスト低減となり、また、仮設水平拘束材の着脱も容易で水平方向の移動を拘束させることの信頼性も高くなるという優れた効果を奏するものである。
【００２５】
本発明に係る仮設水平拘束材付免震装置は、弾性板と金属板とを交互に積層した積層体でなる免震装置において、該免震装置の水平状態における前記積層体の上下両端面のプレートに固定して設けられる、前記上側のプレートに固定される上部平板と、前記下側のプレートに固定され水平方向の位置を調整する位置調整用部材及び基礎用のコンクリートを打設するための貫通孔を有する下部平板とがあり、前記積層体の周囲で前記上部平板と下部平板との間に固定し仮設されるもので前記免震装置の本体の水平移動を拘束する着脱自在な複数の仮設水平拘束材とを有して構成されるので、積層体の水平方向の移動が防止され、免震装置の上で直接的に柱の建方を施工することが可能となるという優れた効果を奏するものである。また、位置調整部材によって下部平板の水平方向の位置を調節することができる。更に、基礎を形成するコンクリートを密に充填するために下部平板に設けられた貫通孔から突き棒で突くことができる。
【図面の簡単な説明】
【図１】本発明に係る仮設水平拘束材付免震装置の使用状態の正面図である。
【図２】同本発明に係る仮設水平拘束材付免震装置の上部における、一部を破断した平面図である。
【図３】同本発明に係る仮設水平拘束材付免震装置における、下部のベースプレート６の平面図である。
【図４】図３におけるＡ−Ａ線に沿った断面図である。
【図５】本発明に係る仮設水平拘束材付免震装置の仮設水平拘束材の、正面図（イ）、側面図（ロ）、平面図（ハ）である。
【図６】本発明に係る免震装置上での柱の構築方法を説明する説明図である。
【図７】同本発明に係る免震装置上での柱の構築方法を説明する説明図である。
【符号の説明】
１  仮設水平拘束材付免震装置、１ａ  免震装置本体、２  積層体、
３，４  プレート、５，６  ベースプレート、６ａ  貫通孔、
７  仮設水平拘束材、７ａ  ボルト孔、８  基礎、
９  位置調整用部材、１０  袋ナット、１１  袋ナット、１２  ボルト。
【図１】
0003798141.tif 000002
【図２】
0003798141.tif 000003
【図３】
0003798141.tif 000004
【図４】
0003798141.tif 000005
【図５】
0003798141.tif 000006
【図６】
0003798141.tif 000007
【図７】
0003798141.tif 000008